(57)【要約】【課題】  引戸の閉スライド時も開スライド時もレールが見えないようにすること、引戸の跳ね上がりを防止できるようにする。【解決手段】  壁２の外面に固定される壁固定具１０と、壁固定具１０の外側から戸枠４に固定される枠固定具１１と、枠固定具１１の外側に取付けられて壁２及び戸枠４に固定される案内体１２を備えている。壁固定具１０と枠固定具１１は戸枠４の前後方向に位置調節可能に連結されており、案内体１２は枠固定具１１に固定されている。案内体１２は引戸１の上端面に開口されている嵌合溝７０内に格納されて、引戸１の往復スライド時に引戸１を案内するものである。案内体１２は高さ調節可能としてある。【選択図】図１
2020016143.tif 000002
【特許請求の範囲】
【請求項１】
壁の開口部の内周に設けられた戸枠の外側に横方向に往復スライド可能に配置されて、開口部を開閉可能なアウトセット引戸の上部をガイドする上部ガイドであって、
壁の外壁面に固定される壁固定具と、壁固定具の外側から戸枠に固定される枠固定具と、枠固定具の外側に取付けられて壁及び戸枠に固定される案内体を備え、
前記案内体は枠固定具に固定されており、引戸の上端面に開口されている嵌合溝内に嵌入されて、引戸の往復スライド時に引戸を案内するものであり、高さ調節可能である、
ことを特徴とする引戸用上部ガイド。
【請求項２】
請求項１記載の引戸用上部ガイドにおいて、
壁固定具と枠固定具は戸枠の前後方向にスライド可能に連結されている、
ことを特徴とする引戸用上部ガイド。
【請求項３】
壁の開口部の内周に設けられた戸枠の外側に横方向に往復スライド可能に配置されて、開口部を開閉可能なアウトセット引戸の構造において、
前記壁及び戸枠に固定された上部ガイドと、前記開口部を開閉可能なアウトセット引戸を備え、
前記アウトセット引戸は上部に嵌合溝があり、当該嵌合溝は上部ガイドに沿って往復スライドできるように上部ガイドに被せられ、
前記上部ガイドは請求項１又は請求項２記載の引戸用上部ガイドであり、その上部ガイドの壁固定具が壁の外面に固定され、枠固定具が壁固定具の外側から戸枠の外面に固定され、案内体が枠固定具の外側に取付けられて壁及び戸枠に固定され、
前記アウトセット引戸の嵌合溝は、当該アウトセット引戸の上端面に上方に開口しており、当該アウトセット引戸の上端面のスライド方向に横長であり、且つ前記案内体を嵌入可能な溝幅であり、
前記アウトセット引戸は、前記嵌合溝に嵌入された案内体に沿って往復スライド可能である、
ことを特徴とする引戸構造。
【請求項４】
請求項３記載の引戸構造において、
上部ガイドが開口部の右端の壁及び戸枠、又は開口部の左端の壁及び戸枠に固定されている、
ことを特徴とする引戸構造。
【請求項５】
請求項３又は請求項４記載の引戸構造において、
戸枠に切欠き部を備えた化粧カバーが装着され、
枠固定具の裏面側であって前記化粧カバーの切欠き部に収まる位置にスペーサーが設けられ、
前記枠固定具が前記スペーサーを介して前記戸枠に固定された、
ことを特徴とする引戸構造。
【請求項６】
請求項３から請求項５のいずれか１項に記載の引戸構造において、
アウトセット引戸の嵌合溝内に、上向きに開口した樋状の補強レールが収容され、
案内体が前記補強レール内に嵌入し、
前記アウトセット引戸は前記補強レールに嵌入された案内体に沿って往復スライド可能である、
ことを特徴とする引戸構造。
【発明の詳細な説明】
【技術分野】
【０００１】
本発明は横方向に往復スライド可能な引戸を案内する引戸用上部ガイドと、その上部ガイドに引戸をセットした引戸構造に関する。
【背景技術】
【０００２】
引戸には、室内の壁や仕切り等に開口されている開口部（出入口）の内周に戸枠を設け、その戸枠内に引戸を配置するインセット引戸、戸枠の手前側（外側）に引戸を配置するアウトセット引戸がある。従来、引戸として特許文献１のようなものがある。
【０００３】
インセット引戸、アウトセット引戸のいずれの場合も、図２０のように、壁Ａの出入口Ｂの上に、上レールＣを横方向に配置し、上レールＣに沿って引戸Ｄが横方向（図２０のＸ―Ｘ方向）に往復移動するようにしてある。このため、引戸Ｄを図２０の左側にスライド（開スライド）させて出入口Ｂを全開すると上レールＣの出入口Ｂ側が外から見え、引戸Ｄを図２０の右側にスライド（閉スライド）させて出入口Ｂを全閉すると、上レールＣの反対側が外から見える。いずれの場合も体裁が良くない。
【先行技術文献】
【特許文献】
【０００４】
【特許文献１】特開２００２−２２７５０３号公報
【発明の概要】
【発明が解決しようとする課題】
【０００５】
本発明の解決課題は、レールが無くても引戸をスライドすることができ、引戸を閉スライドしても開スライドしてもレールが見えないようにし、引戸の上下方向へのガタツキ（跳ね上がり）を抑制（防止）することにある。
【課題を解決するための手段】
【０００６】
［引戸用上部ガイド］
本発明の引戸用上部ガイドは、壁の開口部の内周に戸枠があり、引戸が壁及び戸枠の外側に往復スライド可能に配置され、引戸の往復スライドにより開口部を開閉可能としたアウトセット引戸の上部をガイドするものである。この上部ガイドは壁の外面に固定される壁固定具と、壁固定具の外側（手前）から戸枠に固定される枠固定具と、枠固定具に取付けられる案内体を備える。案内体は引戸の上端面に開口された嵌合溝内に嵌合されて、引戸を往復スライド方向に案内できるものであり、高さ調節可能としてある。
【０００７】
［引戸構造］
本発明の引戸構造は、壁の開口部の内周に設けられた戸枠の外側に横方向に往復スライド可能に配置され、往復スライドにより開口部を開閉可能なアウトセット引戸であり、引戸の上部を上部ガイドにセットして往復スライド可能としてある。上部ガイドは前記した上部ガイドであり、壁固定具が壁の外面に固定され、枠固定具が壁固定具の手前から戸枠に固定され、案内体が枠固定具に取付けられて壁及び戸枠に固定されている。引戸の上端面には上方開口の嵌合溝があり、嵌合溝は引戸のスライド方向に横長であり且つ上部ガイドの案内体が嵌入可能な溝幅であり、案内体に被せて（セットして）、ガイドに沿って往復スライド可能である。
【発明の効果】
【０００８】
本発明の引戸用上部ガイドは次のような効果がある。
（１）引戸が上部ガイドの案内体に沿って往復スライド可能であるため、壁にレールを設ける必要が無く、レールが見えず体裁が良い。
（２）案内体が高さ調節可能であり、嵌合溝の底面と昇降部品の底面の間の隙間の間隔を調節できるので、引戸の高さ方向のガタツキ（跳ね上がり）を抑制することができる。
【０００９】
本発明の引戸構造は次のような効果がある。
（１）引戸の上部の嵌合溝に上部ガイドの案内体が収納されて、引戸が往復移動するため、壁にレールが無くとも引戸の往復スライドが円滑にできる。
（２）引戸の嵌合溝の底面と、案内体の昇降部品の底面との隙間調節ができるため、引戸の上下方向への跳ね上がりを少なくすることができる。
【図面の簡単な説明】
【００１０】
【図１】（ａ）は引戸で出入口を全閉した状態の説明図、（ｂ）は全開した状態の説明図。
【図２】引戸と、出入口と、上部ガイドの分解図。
【図３】壁及び戸枠への上部ガイドの取付け説明図。
【図４】（ａ）〜（ｃ）は本発明の引戸用上部ガイドの取り付け手順の説明図。
【図５】（ａ）は上部ガイドの右上側斜視図、（ｂ）は上部ガイドの左上側斜視図、（ｃ）は上部ガイドの右下側斜視図、（ｄ）は上部ガイドの右下側斜視図、（ｅ）は上部ガイドの分解図。
【図６】上部ガイドの組立て手順図であり、（ａ）は壁固定具への枠固定具の組立て説明図、（ｂ）は（ａ）の組立て状態の右下斜視図、（ｃ）は（ｂ）の壁固定具のスライド説明図、（ｄ）は壁固定具を壁に取り付ける場合の説明図、（ｅ）は締結ビスを締め付けた状態の右下斜視図、（ｆ）は枠固定具への案内体の取付け説明図。
【図７】（ａ）は上部ガイドの案内体の平面図、（ｂ）は同案内体の正面図、（ｃ）は同案内体の側面図、（ｄ）は同案内体の右上方斜視図、（ｅ）は同案内体の左上方斜視図、（ｆ）は同案内体の右下方斜視図、（ｇ）は同案内体の左下方斜視図。
【図８】本発明の引戸用上部ガイドの案内体の分解図。
【図９】（ａ）は案内体の平面図、（ｂ）は（ａ）のＡ−Ａ断面図、（ｃ）は左側面図、（ｄ）は右側面図、（ｅ）は底面図。
【図１０】（ａ）は案内体の平面図、（ｂ）は案内体のガイド体が上昇した状態の側面図、（ｃ）は（ａ）のＡ−Ａ断面図、（ｄ）は案内体の平面図、（ｅ）は案内体のガイド体が降下した状態の側面図、（ｆ）は（ｄ）のＢ−Ｂ断面図。
【図１１】（ａ）は案内体の平面図、（ｂ）は（ａ）のＥ−Ｅ断面図、（ｃ）は左側面図、（ｄ）は右側面図、（ｅ）は底面図。
【図１２】（ａ）は引戸の全体図、（ｂ）は引戸上部の嵌合溝を（ａ）のＡ部を矢印Ａ方向から見た斜視図。
【図１３】（ａ）は引戸の全体図、（ｂ）は引戸上部の嵌合溝を（ａ）のＢ部を矢印Ａ方向から見た斜視図。
【図１４】（ａ）は引戸の全体図、（ｂ）は引戸上部の嵌合溝を（ａ）のＣ部を矢印Ａ方向から見た斜視図。
【図１５】（ａ）は引戸の全体図、（ｂ）は引戸上部の嵌合溝を（ａ）のＤ部を矢印Ａ方向から見た斜視図。
【図１６】（ａ）は壁及び戸枠に取付けた上部ガイドが、引戸の嵌合溝内に収納された状態の側面図、（ｂ）は上部ガイドが引戸の嵌合溝内に収納された状態であって引戸が全開状態の平面図、（ｃ）は全閉状態の平面図。
【図１７】（ａ）は首振り可能な案内体の斜視図、（ｂ）は底面図。
【図１８】（ａ）は枠固定具をスペーサーを介して戸枠に固定する場合の前面側斜視図、（ｂ）は枠固定具とスペーサーの位置関係説明図、（ｃ）は枠固定具をスペーサーを介して戸枠に固定した場合の平面図、（ｄ）は枠固定具をスペーサーを介して戸枠に固定する場合の正面図。
【図１９】引戸の上部の嵌合溝に上向き開口の樋状の補強レールを設ける場合の斜視図。
【図２０】従来の引戸の説明図。
【発明を実施するための形態】
【００１１】
（実施形態）
本発明の引戸用上部ガイド及び引戸構造の一例を、図面を参照して説明する。図１（ａ）はアウトセット下荷重引戸（以下「引戸」という。）１の全閉状態であり、図１（ｂ）は引戸１の全開状態である。図１（ａ）（ｂ）及び図２のＦは床、Ｒは床Ｆに取付けたレール、３は開口部、４は開口部３の内周の上面及び両側面に取付けた戸枠、図２の５は引戸１の往復スライド時に引戸１の上部を案内する引戸用上部ガイド（以下「上部ガイド」という。）である。レールＲは床Ｆに埋設されたものでも、床Ｆの表面に設けられたものでもよい。図２の６は制動装置であり、引戸１の往復スライド時に引戸１を制動して（ブレーキを掛けて）、引戸１と戸枠４との間に指が挟まれるのを防止し、引戸１と戸枠４の衝突音の発生を抑制したりするものである。
【００１２】
［上部ガイド］
前記上部ガイド５は、壁２の開口部３の外側に配置した引戸１の上部を支持して、引戸１を往復スライド可能に案内するためのものである。この実施形態の上部ガイド５は、図４（ａ）〜（ｃ）のように、壁２の外壁面に固定される壁固定具１０と、壁固定具１０の外側から戸枠４に固定される枠固定具１１と、枠固定具１１の外側に取付けられて壁２及び戸枠４に固定される案内体１２を備えている。壁固定具１０と枠固定具１１と案内体１２は、例えば、図６（ａ）〜（ｆ）のように組み立てることができる。
【００１３】
［壁固定具］
壁固定具１０は、図５（ｅ）のように横板１３とそれよりも縦長の縦板１４を備えたＬ字状であり、横板１３に二つの止孔（丸孔）１５が横並びに開口され、縦板１４に３つ一組の止孔１６が二組開口されている。一組の止孔１６は縦板１４の左側に、他の一組の止孔１６は縦板１４の右側に開口されている。止孔１６が左側と右側の対象位置に開口されているのは、左開きの引戸１と右開きの引戸１の双方に使用可能とするためである。
【００１４】
［枠固定具］
枠固定具１１は、図５（ｅ）のように横長の横板２０とそれより幅の細い縦板２１を備えたＬ字状であり、横板２０に二つの長孔２２が横並びに開口され、縦板２１に三つの縦止孔（丸孔）２３が縦方向に開口されている。
【００１５】
［案内体］
案内体１２は、図７（ａ）〜（ｇ）に示すような外観であり、図８に示すように本体３０と、本体３０の外側に被せて本体３０に取付けられるガイド体３１と、ガイド体３１の外側に被せて本体３０に取り付けられるケース３２を備える。
【００１６】
［本体］
図８の本体３０は細長であり、二つの丸孔３３と、二つの縦長孔３４がある。左端に円柱状の固定部３５があり、右端に肉厚板状の固定部３７がある。固定部３５には止孔３６が上下に貫通しており、止孔３６は図１０（ｃ）のように下部が大径孔、上部が小径孔となっている。本体３０は固定部３５の直径Φ１５ｍｍ、肉厚板状の固定部３７の幅Ｗ１３．５ｍｍであり、横幅Ｗ（図７（ａ））が平面視、左側から右側に次第に細くなるテーパにしてある。
【００１７】
［ガイド体］
図８のガイド体３１は対向配置された二枚の側壁４０間に嵌合空間部４１がある。二枚の側壁４０には二つの横長孔４２と、二つの斜孔４３がある。二枚の側壁４０には差込み孔４４があり、その差込み孔４４に螺子板４５が差し込まれる。二枚の側壁４０の右端に端板４６があり、その端板４６に螺子孔４７がある。螺子孔４７の外からねじ込まれたネジ４８は螺子板４５の螺子孔４９までねじ込まれている。このガイド体３１は嵌合空間部４１を本体３０の外側に被せ、二本のピン５０を二枚の側壁４０の横長孔４２と、本体３０の丸孔３３に差込むことにより本体３０に支持されている。
【００１８】
［ケース］
図８のケース３２は底板５１の幅方向両側に二枚の側壁５２が対向立設されて、両側壁５２間に空間部５３を備えており、側面視略Ｕ字状になっている。二枚の側壁５２には二つの丸孔５４がある。このケース３２はガイド体３１の下方から本体３０の外側まで被せ、丸孔５４に二本のピン５５を差込み、そのピン５５をガイド体３１の斜孔４３と、本体３０の縦長孔３４に差込んでガイド体３１及び本体３０に取付けてある。
【００１９】
［ケースの昇降動作］
ネジ４８（図８、図１０（ｃ））をドライバーとか他の工具で回転させると、ケース３２は図１０（ｃ）のように本体３０に接触している状態から図１０（ｆ）の位置まで降下し、ネジ４８を逆回転させると図１０（ｃ）の状態まで上昇する。詳細には、ネジ４８を回転させると、図１０（ｃ）の位置にあるピン５５が図１０（ｆ）の位置まで移動する。この移動に伴ってピン５５（図８）が斜孔４３（図８）内を図１０（ｃ）の位置から図１０（ｆ）の位置までスライドし、このスライドに伴ってケース３２が降下する（ケース３２の底面位置が下がる）。ネジ４８を逆回転させるとピン５５が斜孔４３内を逆スライド（戻りスライド）してケース３２が上昇する（ケース３２の底面３２ａの位置が上がる）。降下時も上昇時もピン５０（図８、図１０（ｃ）（ｆ））は横長孔４２内を横スライドして、ガイド体３１は本体３０に支持されている。
【００２０】
ケース３２が前記のように昇降することにより、ケース３２の底面３２ａ（図１０（ｃ）（ｆ））と、上部ガイド５に被せた引戸１の嵌合溝７０の底面７０ａ（図１６（ａ））の間の隙間Ｓ（図１６（ａ））が調節されて、引戸１の上下移動（跳ね上がり）が調整される。
【００２１】
図１７（ａ）（ｂ）に示すように、案内体１２は止め具６３で固定される（円柱状の）固定部３５側を回転軸として、（肉厚板状の）固定部３７側を引戸１の前後方向に首振りできるようにしてもよい。これにより、案内体１２の引戸１の前後方向の位置を微調整することができる。
【００２２】
案内体１２の前後方向の位置調整を行う場合、固定部３７側の止具６３を緩めて固定部３７側を所定方向に所望量動かして位置決めをしたのち、当該止具６３を締め付けて固定すればよい。なお、案内体１２の固定部３７側を首振り可能とする場合、固定部３７側の止具６３を挿通する孔は長孔とする。
【００２３】
［上部ガイドの取付け手順］
前記した上部ガイド５を壁２及び戸枠４に取付けるには次の手順で行うことができる。
（イ）図６（ａ）〜（ｅ）のように、壁固定具１０と枠固定具１１は、予め、壁固定具１０の下（内側）に枠固定具１１を重ねて締結ビス６０で仮止めしておく。
（ロ）図６（ｂ）の締結ビス６０を緩めてから、壁固定具１０を壁２に当たるまで図６（ｃ）の矢印Ａ方向にスライドさせる。この状態で、図４（ａ）のように枠固定具１１を戸枠４に止具６１により固定し、その後に壁固定具１０を止具６２により壁２に固定する。この状態で、図６（ｅ）の締結ビス６０を締めつけて、壁固定具１０と枠固定具１１を固定する。
（ハ）前記（ロ）の後に、図６（ｆ）のように案内体１２を止具６３により枠固定具１１の下に固定する。
【００２４】
前記上部ガイド５の取付け手順では、壁固定具１０と枠固定具１１を所定位置に固定した後に、案内体１２を枠固定具１１の下に固定する場合を一例としているが、案内体１２は壁固定具１０と枠固定具１１を所定位置に固定する前に、予め枠固定具１１の下に固定しておくこともできる。
【００２５】
また、この実施形態では、枠固定具１１を戸枠４に直接固定する場合を一例としているが、図１８（ａ）〜（ｄ）に示すように、枠固定具１１はスペーサー３８を介して戸枠４に固定することもできる。
【００２６】
例えば、開き戸をアウトセット引戸にリフォームするような場合、戸枠４の外周に化粧カバー３９を被せて再利用することがある。この場合、枠固定具１１の背面側に縦長のスペーサー３８を固定するとともに、化粧カバー３９の前面側に切欠き部３９ａを設け、当該切欠き部３９ａにスペーサー３８を収めて枠固定具１１を戸枠４に固定することで、枠固定具１１をスペーサー３８を介して戸枠４に固定することができる。
【００２７】
スペーサー３８の構造は適宜設計することができるが、図１８（ａ）〜（ｄ）に示す例では、縦長方形状の板材を用いている。スペーサー３８は化粧カバー３９の肉厚と同じか、化粧カバー３９の肉厚よりも若干厚くすることができる。図１８（ａ）〜（ｄ）に示すスペーサー３８は、枠固定具１１を戸枠４に固定する止具６１によって戸枠４に固定することができる。
【００２８】
［引戸の上部構造］
図１２〜図１５のように、引戸１はその上部に嵌合溝７０を備えており、嵌合溝７０を図１６（ａ）のように、上部ガイド５の案内体１２の外側に被せることにより、案内体１２に沿って往復スライド可能としてある。
【００２９】
嵌合溝７０は各種構造とすることができるが、図１２〜図１５に示す嵌合溝７０は、引戸１の上部横幅方向に細長に形成されている。横幅方向の一端は突起７２（図１２（ｂ））で閉塞されており、他端７３（図１２（ｂ））は開口しているが、止め具Ｅで閉塞される（図３、図１９）。嵌合溝７０の内壁７４は外壁７５よりも一段低くしてある。内壁７４の長手方向ほぼ中央部には嵌合凹部７６がある。嵌合凹部７６はその両側よりも深くしてある（図１２〜図１５）。外壁７５の長手方向ほぼ中央部には肉薄部７７（図１４、図１５）を設けてある。
【００３０】
［上部ガイドへの引戸の嵌合］
引戸１の嵌合溝７０を壁２及び戸枠４に固定されている上部ガイド５の案内体１２に被せて、案内体１２を嵌合溝７０内に収納（格納）するときは、室内の障子を鴨居に嵌めるときに、障子の上部を鴨居側に傾けるのと同様にして行う。即ち、引戸１の上部を上部ガイド５の案内体１２側に傾けて、引戸１の上部の嵌合溝７０を上部ガイド５の案内体１２の下から押し上げて、案内体１２を嵌合溝７０内に嵌合させる（図１６（ａ）〜（ｃ））。このとき、前記のように嵌合凹部７６があると、上部ガイド５の案内体１２に、その下方から嵌合溝７０を嵌合し易くなる。また、肉薄部７７があると、上部ガイド５の案内体１２にその下方から嵌合溝７０を嵌合し易くなる。
【００３１】
図１９に示すように、引戸１の上部の嵌合溝７０に上向き開口の樋状の補強レール７８を収容し、その補強レール７８を上部ガイド５の案内体１２の外側に被せることにより、引戸１を案内体１２に沿って往復スライドさせるようにしてもよい。具体的には、引戸１の上部に嵌合凹部７６のない嵌合溝７０を形成し、この嵌合溝７０に、開口部が上を向くようにして補強レール７８を収容する。補強レール７８はビスなどの止具８０で嵌合溝７０の底面に固定する
【００３２】
補強レール７８の長手方向両端側には、細長の段差形成部材７９を収容し、両段差形成部材７９間に前記嵌合凹部７６に相当する凹部（図示しない）を形成する。段差形成部材７９は不用意に移動しないようにビスなどの止具８０で補強レール７８及び引戸１に固定しておく。補強レール７８や段差形成部材７９には、例えば、アルミの押出し成型品等を用いることができる。このような補強レール７８を設けることで、補強レール７８がない場合と比べて、引戸１の強度や耐久性が向上する。
【００３３】
［引戸のスライド動作］
図１６（ａ）〜（ｃ）のように、嵌合溝７０内に上部ガイド５の案内体１２が収納した引戸１は、上部ガイド５の案内体１２がレール代わりになって、従来と同様に左右にスライドし、壁２の開口部３を開閉することができる。
【００３４】
本発明において使用する制動装置６には、本件出願人が先に出願した特願２０１８−１３０２５６号の制動装置を使用することができる。
【産業上の利用可能性】
【００３５】
前記説明は本発明の一例である。本発明は解決課題を解決可能であれば、使用する部品数、部品の構成、サイズ、上部ガイドと引戸の嵌合構造等を設計変更可能である。図示した実施例では、引戸１を図１（ａ）（ｂ）の左方向にスライドさせると全閉、右方向にスライドさせると全開となる右引戸の場合であるため、図３のように上部ガイド５を開口部３の右端の壁２及び戸枠４に固定してあるが、これとは逆に、引戸１を図１（ａ）（ｂ）の右方向にスライドさせると全閉、左方向にスライドさせると全開となる左引戸の場合は上部ガイド５を開口部３の左端の壁２及び戸枠４に固定することになる。
【符号の説明】
【００３６】
１      引戸
２      壁
３      開口部（出入口）
４      戸枠
５      引戸用上部ガイド（上部ガイド）
６      制動装置
１０    壁固定具
１１    枠固定具
１２    案内体
１３    横板
１４    縦板
１５    止孔（丸孔）
１６    止孔
２０    横板
２１    縦板
２２    長孔
２３    縦止孔（丸孔）
３０    本体
３１    ガイド体
３２    ケース
３２ａ  （ケースの）底面
３３    丸孔
３４    縦長孔
３５    （円柱状の）固定部
３６    止孔
３７    （肉厚板状の）固定部
３８    スペーサー
３９    化粧カバー
３９ａ  （化粧カバー前面側の）切欠き部
４０    側壁
４１    嵌合空間部
４２    横長孔
４３    斜孔
４４    差込み孔
４５    螺子板
４６    端板
４７    螺子孔
４８    ネジ
４９    螺子孔
５０    ピン
５１    底板
５２    側壁
５３    空間部
５４    丸孔
５５    ピン
６０    締結ビス
６１    止具
６２    止具
６３    止具
７０    嵌合溝
７０ａ  （嵌合溝の）底面
７２    突起
７３    （嵌合溝の）他端
７４    （嵌合溝の）内壁
７５    （嵌合溝の）外壁
７６    嵌合凹部
７７    肉薄部
７８    補強レール
７９    段差形成部材
８０    止具
Ａ      壁
Ｂ      出入口
Ｃ      上レール
Ｄ      引戸
Ｅ      止め具
Ｆ      床
Ｈ      （ケースの）高さ
Ｌ      （ケースの）横幅
Ｒ      レール
Ｓ      隙間
Ｗ      （ケースの）奥行き幅
【図１】
2020016143.tif 000003
【図２】
2020016143.tif 000004
【図３】
2020016143.tif 000005
【図４】
2020016143.tif 000006
【図５】
2020016143.tif 000007
【図６】
2020016143.tif 000008
【図７】
2020016143.tif 000009
【図８】
2020016143.tif 000010
【図９】
2020016143.tif 000011
【図１０】
2020016143.tif 000012
【図１１】
2020016143.tif 000013
【図１２】
2020016143.tif 000014
【図１３】
2020016143.tif 000015
【図１４】
2020016143.tif 000016
【図１５】
2020016143.tif 000017
【図１６】
2020016143.tif 000018
【図１７】
2020016143.tif 000019
【図１８】
2020016143.tif 000020
【図１９】
2020016143.tif 000021
【図２０】
2020016143.tif 000022